(57)【特許請求の範囲】
【請求項１】
縦方向及び前記縦方向に直交する横方向を有し、腹側域と、背側域と、前記縦方向において前記腹側域と前記背側域との間に位置する中間域と、吸収性コアを有する吸収体とを含む愛玩動物用の吸収性物品において、
前記吸収体は、愛玩動物の尻尾が挿通される切断ラインよりも前記腹側域側にのみ位置しており、前記横方向において互いに対向する両側縁と、前記愛玩動物の排尿口に対向する第１吸収部と、前記排尿口から外れた部位に対向する第２吸収部とを有し、
前記吸収性コアは、前記縦方向における前記第１吸収部と前記第２吸収部との連動を分離する分離部分とを有する前記吸収性物品。
【請求項２】
前記吸収性物品は、前記横方向の寸法を二等分して前記縦方向へ延びる縦中心線をさらに有し、
前記分離部分は、前記両側縁から前記縦中心線へ向けて延びる請求項１に記載の吸収性物品。
【請求項３】
前記分離部分は、前記吸収性コアの非存在領域である請求項２に記載の吸収性物品。
【請求項４】
前記吸収性物品は、前記縦方向の寸法を二等分して前記横方向へ延びる横中心線をさらに有し、
前記吸収体は、前記縦方向において互いに対向する第１端縁及び第２端縁をさらに有し、
前記分離部分は、前記第１又は第２端縁から前記横中心線へ向けて前記横方向の長さ寸法が徐々に小さくなっている箇所に位置する請求項１〜３のいずれかに記載の吸収性物品。
【請求項５】
前記吸収体は、前記第１吸収部と前記縦方向において離間対向して位置し、雌雄の前記愛玩動物のうちの一方の排尿口と対向する第３吸収部をさらに有し、前記第２吸収部は、前記第１吸収部と前記第３吸収部との間に位置する請求項１〜４のいずれかに記載の吸収性物品。
【請求項６】
前記中間域は、前記腹側域側に位置する第１区域と、前記背側域側に位置する第２区域と、前記第１及び第２区域の間に位置する中央域とを有し、
前記中間域の両側縁は、前記第１区域において、前記腹側域の内端から前記横方向の内方へ向けて徐々に幅狭となる幅狭部分を有し、
前記分離部分は、前記横方向において一対の前記幅狭部分の間に配置してある請求項１〜５のいずれかに記載の吸収性物品。
【発明の詳細な説明】
【技術分野】
【０００１】
本発明は、犬や猫等の愛玩動物（ペット）の尿等の排泄物を吸収するための吸収性物品に関する。
【背景技術】
【０００２】
従来、犬や猫等の愛玩動物の身体に着用させるための愛玩動物用の吸収性物品は公知である。例えば、特許文献１には、腹側域と、背側域と、吸収性コアを有する吸収体（吸液パッド）とを含む愛玩動物用の吸収性物品が開示されている。
【先行技術文献】
【特許文献】
【０００３】
【特許文献１】特開平７−２３６３８０号公報
【発明の概要】
【発明が解決しようとする課題】
【０００４】
特許文献１に開示された吸収性物品においては、吸収体が縦方向へ延びる縦長矩形状であって、吸収体の端部に位置し、雄の愛玩動物の排尿口と対向する領域と、後肢の大腿部間に挟まれた排尿口と対向しない非対向領域とが連続しているので、大腿部の動きによって対向する領域が動いて、吸収性物品の位置ずれを生じるおそれがある。かかる場合には、吸収性物品の位置ずれを生じるのみならず、対向する領域が後肢の可動領域へ移動するので、歩行が阻害されるおそれがある。
【０００５】
本発明は、従来の愛玩動物用の吸収性物品の改良であって、後肢の可動時において、位置ずれを生じることなく、かつ、後肢の可動が阻害されることのない吸収性物品の提供を課題にしている。
【課題を解決するための手段】
【０００６】
本発明は、縦方向及び前記縦方向に直交する横方向を有し、腹側域と、背側域と、前記縦方向において前記腹側域と前記背側域との間に位置する中間域と、吸収性コアを有する吸収体とを含む愛玩動物用の吸収性物品に関する。
【０００７】
本発明に係る愛玩動物用の吸収性物品は、前記吸収体は、愛玩動物の尻尾が挿通される切断ラインよりも前記腹側域側にのみ位置しており、前記横方向において互いに対向する両側縁と、前記愛玩動物の排尿口に対向する第１吸収部と、前記排尿口から外れた部位に対向する第２吸収部とを有し、前記吸収性コアは、前記縦方向における前記第１吸収部と前記第２吸収部との連動を分離する分離部分とを有する。
【発明の効果】
【０００８】
本発明の１つ以上の実施の形態に係る愛玩動物用の吸収性物品では、吸収体は、愛玩動物の排尿口に対向する第１吸収部と、排尿口から外れた部位に対向する後肢間に位置する第２吸収部と、縦方向における第１吸収部と第２吸収部との連動を分離する分離部分を有する吸収性コアとを有するので、後肢が前後方向へ移動したときに、第１吸収部を有する部分と第２吸収部を有する部分とが個別に動く。このため、愛玩動物の後肢が動くときに、吸収性コアが後肢の動きの妨げとなるのを抑えることができるとともに、吸収体に位置ずれが発生するのを抑えることができる。
【図面の簡単な説明】
【０００９】
図面は、本発明の特定の実施の形態を示し、発明の不可欠な構成ばかりでなく、選択的及び好ましい実施の形態を含む。
【図１】本発明に係る第１実施形態の愛玩動物用の吸収性物品の着用状態における斜視図。
【図２】各弾性体の最大伸長時（弾性材料の収縮作用によるギャザーがなくなる程度）まで縦方向及び横方向に伸展した吸収性物品の一部破断展開平面図。
【図３】図２のＩＩＩ−ＩＩＩ線に沿う模式的断面図。
【図４】図２のＩＶ−ＩＶ線に沿う模式的断面図。
【図５】吸収性物品の着用状態において、図４とおなじ部位を示す模式的断面図。
【図６】図２に示す吸収性物品において、吸収体の中間域の詳細を示す一部破断展開平面図。
【図７】図６に示す吸収性物品から、内層シートとフラップシートと肌対向面側に位置するコアラップシートとサイド弾性体及びフラップ弾性体とを取り除いた状態を肌対向面側から示した模式的部分平面図。
【図８】雄の愛玩動物に吸収性物品を着用させた状態において、吸収性物品の縦中心線に沿った模式的断面図。
【図９】雌の愛玩動物に吸収性物品を着用させた状態において、吸収性物品の縦中心線に沿った模式的断面図。
【図１０】第１実施形態の吸収性物品の変形例を示す図２と同様の一部破断展開平面図。
【図１１】本発明に係る愛玩動物用の吸収性物品の変形例を示す図７と同様の模式的部分平面図。
【図１２】本発明に係る愛玩動物用の吸収性物品の別の変形例を示す図７と同様の模式的部分平面図。
【図１３】本発明に係る愛玩動物用の吸収性物品のさらに別の変形例を示す図７と同様の模式的部分平面図。
【図１４】本発明に係る第２実施形態の愛玩動物用の吸収性物品を示す図７と同様の模式的部分平面図。
【発明を実施するための形態】
【００１０】
下記の各実施の形態は、図１〜１４に示す愛玩動物用の吸収性物品に関し、発明の不可欠な構成ばかりではなく、選択的及び好ましい構成を含む。
【００１１】
［第１実施形態］
図１〜４を参照すると、愛玩動物（ペット）２に着用させる吸収性物品（おむつ）１０は、縦方向Ｙ及び横方向Ｘを有し、愛玩動物２の身体と対向する身体側対向面（内面）とその反対側に位置する非身体側対向面（外面）と、腹側域１１と、背側域１２と、縦方向Ｙにおいて腹側域１１と背側域１２と間に位置する中間域１３とを有する吸収パネル１４、及び腹側域１１の両側縁１４ｃから横方向Ｘの外方へ延びるファスニングシステムを構成する一対のファスニングタブ１５を含む。腹側域１１は、愛玩動物２の後肢３よりも前方に位置する腹部４、および腰部５を被覆する領域であり、背側域１２は、愛玩動物２の後肢３よりも前方に位置する背部６、および腰部５を被覆する領域であり、中間域１３は、後肢３の大腿部間を含めて尻部７全体を被覆する領域である。腹側域１１及び中間域１３の一部には、尿等の排泄物を吸収するための吸収体５０が配置される。吸収性物品１０は、その横方向Ｘにおける寸法を２等分する縦中心線Ｐと、その縦方向Ｙにおける寸法を２等分する横中心線Ｑとを有する。
【００１２】
ファスニングタブ１５の身体側対向面には、メカニカルファスナのフック群から形成された第１ファスニング要素２０が設けられている。また、背側域１２の外面には、ファスニングタブ１５の第１ファスニング要素２０を解放可能に掛け留めるための、横方向Ｘへ延びるメカ二カルファスナのループ群から形成された第２ファスニング要素２１を有するランディング部２２が例えばホットメルト接着剤（図示せず）を介して設けられている。
【００１３】
＜吸収パネル＞
吸収パネル１４は、縦方向Ｙにおいて対向して横方向Ｘへ延びる第１端縁１４ａ及び第２端縁１４ｂと、第１及び第２端縁１４ａ，１４ｂ間に位置して凹曲状に縦方向Ｙへ延びる両側縁１４ｃとにより輪郭が画定されている。中間域１３の両側縁１４ｃは、腹側域１１の内端１１ａから横方向Ｘの内側へ曲状に延びる一対の第１凹曲部分１９ａと、背側域１２の内端１２ａから横方向Ｘの内側へ曲状に延びる一対の第２凹曲部分１９ｂと、第１凹曲部分１９ａと第２凹曲部分１９ｂとの間に位置する一対の直状部１９ｃとを有する。吸収パネル１４は、繊維不織布、多孔プラスチックフィルム、それらのラミネートシート等から形成され、身体側対向面側に位置する透液性の内層シート（内層）２７と、透湿性プラスチックフィルム、繊維不織布、それらのラミネートシート等から形成され、非身体側対向面側に位置する不透液性の外層シート（外層）２８と、内外層シート２７，２８間の間に介在された吸収体５０とを含む。内層シート２７と外層シート２８とは、吸収体５０の周縁部から延出しており、該延出部位における内外層シート２７，２８のうちの少なくともいずれか一方の内面に塗布された例えばホットメルト接着剤（図示せず）を介して互いに接合されている。
【００１４】
図２及び図６を参照すると、中間域１３は、説明の便宜上、腹側域１１側に位置し、第１凹曲部分１９ａを含んで腹側域１１の内端１１ａから横中心線Ｑへ向かって延びる第１区域１６と、背側域１２側に位置し、第２凹曲部分１９ｂを含んで背側域１２の内端１２ａから横中心線Ｑへ向かって延びる第２区域１７と、第１及び第２区域１６，１７の間に位置する中央域１８とに区分される。腹側域１１と、中間域１３の第１区域１６及び中央域１８には、吸収体５０が位置している。第２区域１７は、背側域１２の内端１２ａと吸収体５０の後記の第２端縁５０ｂとの間に位置する。なお、中間域１３において、第１区域１６と第２区域１７と中央域１８とは、例えば中間域１３の縦方向Ｙの寸法を三等分することによって画定してもよいし、第１および第２区域１６，１７の縦方向Ｙの寸法が、中央域１８の縦方向Ｙの寸法よりも大きくてもよいし、その逆でもよい。
【００１５】
再び、図１〜４を参照すると、内層シート２７と外層シート２８との間であって吸収体５０の非身体側対向面側には、不透液性かつ透湿性のプラスチックフィルムから形成された防漏シート３０が配置されており、内外層シート２７，２８のうちの少なくとも一方の対向面に塗布された例えばホットメルト接着剤（図示せず）を介して固定されている。また、内層シート２７の身体側対向面における吸収体５０の横方向Ｘの外方には、縦中心線Ｐに関して対称に位置する一対のフラップシート３２が配置されている。
【００１６】
吸収性物品１０の愛玩動物２に着用時において、一対のファスニングタブ１５の第１ファスニング要素２０と背側域１２の外面に位置する第２ファスニング要素２１とを互いに掛け留めることによって、ウエスト開口３３及び一対のレッグ開口３４が形成される（図１参照）。
【００１７】
図２および図３を参照すると、吸収パネル１４の腹側域１１には、外層シート２８と防漏シート３０との間において横方向Ｘへ延びる帯状の腹側リボン弾性体（腹側弾性要素）３５が配置されている。腹側リボン弾性体３５は、天然又は合成ゴム製や発泡性のポリウレタン製のストリング、平ゴム（ウレタンフォーム）やリボン状の弾性体から形成され、本実施形態においては、発泡性ポリウレタン製の弾性体が配置されている。腹側リボン弾性体３５は、腹側域１１の比較的に広い範囲に収縮力を作用して愛玩動物２の身体にフィットさせるために、所要の幅寸法（縦方向Ｙの寸法）および長さ寸法（横方向Ｘの寸法）を有する帯状であることが好ましい。図３及び図６を参照すると、吸収体５０の腹側域１１に位置する第１端縁５０ａは、腹側リボン弾性体３５の縦方向Ｙの両端縁３５ａ，３５ｂの間に配置してある。
【００１８】
図２および図４を参照すると、外層シート２８とフラップシート３２とは、腹背側域１１，１２において、内層シート２７と防漏シート３０との両側縁からさらに横方向Ｘの外方へ延出して互いに重なり合い、腹側サイドフラップ３８と背側サイドフラップ３９が形成されている。腹側サイドフラップ３８を形成する外層シート２８とフラップシート３２との両側縁部間には、一対のファスニングタブ１５の近位部１５ａが一体的に介在しており、両シート２８，３２の内面に塗布された例えばホットメルト接着剤（図示せず）を介して固定されている。ファスニングタブ１５を形成する基材シートは、例えば、プラスチックフィルム、繊維不織布、それらのラミネートやクラフト紙等の比較的に剛性及び引張強度の高いシート材料から形成することが好ましい。
【００１９】
フラップシート３２は、両側縁１４ｃの一部を形成する近位部４１ａと、腹背側域１１，１２において内層シート２７及び外層シート２８の身体側対向面に固定された前端固定部（固定部）４２ａ及び後端固定部４２ｂと、前後端固定部４２ａ，４２ｂ間において縦方向Ｙへ延び、フラップシート３２の内側縁を内方へ折り返すことによって形成された遠位部４１ｂとを有する。防漏シート３０の横方向Ｘの両側縁には、縦方向Ｙへ延びる例えば２条のストランド状又はストリング状のサイド弾性体（サイド弾性要素）４３が、フラップシート３２の近位部４１ａと防漏シート３０の両側部との間にホットメルト接着剤（図示せず）を介して収縮可能に取り付けられている。また、フラップシート３２の遠位部４１ｂには、縦方向Ｙへ延びる例えば１条のストランド状又はストリング状のフラップ弾性体（フラップ弾性要素）４４が伸長状態で収縮可能に取り付けられる。図５は、吸収性物品１０を愛玩動物２に着用させる際において、腹側域１１の横断面を模式的に示す図であるが、遠位部４１ｂは、フラップ弾性体４４の収縮作用によって内層シート２７の身体側対向面から離れ、横方向Ｘから排泄物が漏れるのを防止するための一対の封じ込めフラップ４６と、該封じ込めフラップ４６と内層シート２７との間に空間部４７とが形成される。
【００２０】
本実施形態において、サイド弾性体４３とフラップ弾性体４４とは、例えば繊度２８０〜５００ｄｔｅｘのストリング状又はストランド状の弾性材料を約２．０〜３．０倍、好ましくは、２．２〜２．５倍に伸長して収縮可能に取り付けられたものであって、各弾性体４３，４４に求められる所要の収縮力によって、弾性体４３，４４の数を増加し、もしくは複数設けた弾性体４３，４４における離間寸法（ピッチ）を適宜設定することができる。また、各弾性体４３，４４を構成する弾性材料の繊度や伸長倍率を均一にせずに互いに異なるように設定することもできる。具体的には、例えば、サイド弾性体４３を構成する複数条の弾性材料のうち、最も横方向Ｘの外側に位置する弾性材料の繊度を最も横方向Ｘの内側に位置する弾性材料の繊度に比して大きくしたり、又は、前者を後者よりも小さくしたり、さらには、横方向Ｘの内側から外側へ向かって各弾性材料の繊度又は伸長倍率を大きく（又は小さく）してもよい。
【００２１】
サイド弾性体４３は、例えば、吸収パネル１４の縦方向Ｙの全域、すなわち、第１端縁１４ａと第２端縁１４ｂとの間において縦方向Ｙへ一連に延びている。一方、フラップ弾性体４４は、第１端縁１４ａから吸収体５０の第２端縁５０ｂよりも第２区域１７側まで延在している。サイド弾性体４３及びフラップ弾性体４４は、実質的に伸縮性を発現する伸縮機能部分と、実質的に伸縮性を発現しない非伸縮機能部分とを有する。非伸縮機能部分は、それら弾性体４３，４４をシートに取り付けるとき、いわゆるスナップバック（弾性体４３，４４のうちシートに固着されていない非固着部分が、自らの収縮によりシートに固着されている接合端部近傍まで戻ること）により形成される。サイド弾性体４３とフラップ弾性体４４とは、それらの端部が腹側リボン弾性体３５の両端部と平面視において互いに重なって位置しており、該端部が実質的に伸縮性を発現する伸縮機能部分であることが好ましい。縦方向Ｙにおいて、両弾性体４３，４４の収縮力によって吸収パネル１４の第１端部１４ａを、背側域１２側へ引っ張ろうとする力が作用して両側縁１４ｃ全体が緊張状態となるが、横方向Ｘにおいては、吸収性物品１０の展開された形態が維持されるので、着用時において、吸収性物品１０の一部を愛玩動物２の後肢３間に通過させるときに、吸収性物品１０が大きく型崩れすることなくスムーズに着用操作をすることができる。
【００２２】
図３および図６を参照すると、中間域１３の第２区域１７には、愛玩動物２の尻尾１を挿通する開口（挿通孔）を形成するための切断ライン（ミシン目）４８が配置される。切断ライン４８は、略Ｕ字状であって、平面視において互いに重なる内層シート２７、防漏シート３０及び外層シート２８を貫通する。該切断ライン４８に沿って吸収パネル１４の一部を切断し、各シート２７，２８，３０が接合又は非接合された状態における舌片４９を外面側へ向けて折り曲げることによって図１及び図８に示すように、尻尾１を挿通する開口が形成される。
【００２３】
図３および図６を参照すると、吸収体５０は、内外層シート２７，２８間に介在され、不水溶性かつ自己質量の１０倍以上の吸水力を有するいわゆる高吸収性ポリマー（ＳＡＰ）粒子、木材フラッフパルプ、オプションとして熱可塑性繊維を僅かに含む混合物から形成された半剛性の吸収性コア５１と、それを包被する、親水性かつ液拡散性を有する不織布又はティッシュペーパから形成されたコアラップシート５２とを含む。吸収体５０は、愛玩動物の尻尾１が挿通される切断ライン４８よりも腹側域１１側にのみ位置している。ただし、本発明において、吸収体５０が、愛玩動物２の尻尾１が挿通される切断ライン４８よりも腹側域１１側にのみ位置していることとは、高吸収性ポリマー粒子及び木材フラッフパルプ等の実質的に排泄物を吸収する要素が、愛玩動物２の尻尾１が挿通される切断ライン４８よりも腹側域１１側にのみ位置していることをいい、製造の過程で切断ライン４８よりも背側域１２側へ飛び散った高吸収性ポリマー粒子及び木材フラッフパルプ、並びに縦方向Ｙへ背側域１２側まで延ばしたコアラップシート５２を含まない。コアラップシート５２は、内層シート２７及び／又は防漏シート３０と例えばホットメルト接着剤を介して接合されており、吸収性コア５１の側縁から横方向Ｘの外側に延在する。吸収体５０は、さらに、横方向Ｘへ延び、縦方向Ｙにおいて互いに対向する第１端縁５０ａ及び第２端縁５０ｂと、縦方向Ｙへ延び横方向Ｘにおいて互いに対向する吸収両側縁（両側縁）５０ｃとを有する。
【００２４】
図７は、吸収性物品１０から、内層シート２７と、フラップシート３２と、肌対向面側に位置するコアラップシート５２と、弾性体４３，４４とを取り除いた状態において、腹側域１１及び中間域１３を肌対向面側から示した図２と同様の図である。
【００２５】
吸収体５０は、縦方向Ｙにおいて、腹側域１１及び中間域１３の第１区域１６の一部に位置する略長方形状の第１吸収部５３と、第１吸収部５３から横中心線Ｑ側へ延びる第２吸収部５４と、中央域１８の背側域１２側に位置する第３吸収部５５とを有する。第１吸収部５３と第３吸収部５５とは横方向Ｘの寸法がほぼ同じであって、第１吸収部５３の縦方向Ｙの寸法Ｌ１は、第３吸収部５５の縦方向Ｙの寸法Ｌ３よりも大きくなっている。また、第２吸収部５４の縦方向Ｙの寸法Ｌ２は、第１及び第３吸収部５３，５５の縦方向Ｙの寸法Ｌ１，Ｌ３よりも大きく、かつ、それらに比べて横方向Ｘの寸法が小さく、比較的に幅狭である。具体的には、第１吸収部５３の縦方向Ｙの寸法Ｌ１と、第２吸収部５４の縦方向Ｙの寸法Ｌ２と、第３吸収部５５の縦方向Ｙの寸法Ｌ３とのおよその比率は、Ｌ１：Ｌ２：Ｌ３＝１：２：１である。なお、説明の便宜上、図７において、第１吸収部５３と第２吸収部５４との第１境界ライン５７、及び第２吸収部５４と第３吸収部５５との第２境界ライン５８を仮想線（二点鎖線）で示してある。
【００２６】
図８は、雄の愛玩動物２に吸収性物品１０を着用させた状態における縦中心線Ｐに沿った模式的断面図である。図８を参照すると、第１吸収部５３は、吸収性物品１０を雄の愛玩動物２に着用させた状態において、愛玩動物２の雄の性器８の排尿口８ａに対向する部分である。第２吸収部５４は、吸収性物品１０を雄の愛玩動物２に着用させた状態において、雄の排尿口８ａと肛門９との間の部分に対向する部分である。換言すれば、第２吸収部５４は、愛玩動物２の雄の排尿口８ａから外れた部位に対向する部分である。また、第３吸収部５５は、愛玩動物２の肛門９の近傍に対向する部分である。
【００２７】
図７を参照すると、第２吸収部５４は、中央部分５４ａと、縦方向Ｙにおいて第１吸収部５３に隣接し、縦中心線Ｐへ向かって先鋭状に括れた第１括れ部分（第１分離部分）６１と、縦方向Ｙにおいて第３吸収部５５と隣接し、縦中心線Ｐへ向かって先鋭状に括れた第２括れ部分（第２分離部分）６２とを有する。第１括れ部分６１は、中央部分５４ａの両側縁５０ｃの端縁６０ａから第１吸収部５３の第１境界ライン５７まで延びている。第２括れ部分６２は、中央部分５４ａの両側縁５０ｃの端縁６０ａから第３吸収部５５との第２境界ライン５８まで延びている。本明細書において、「吸収体の第１及び第２分離部分」とは、愛玩動物２の動作による吸収体５０全体の連動性を抑制するために、吸収体５０の横方向Ｘの長さ寸法を局所的に狭くした部分（第１及び第２括れ部分６１，６２）を意味し、本実施形態のように、両側縁５０ｃが縦中心線Ｐへ向かって先鋭に延びる略三角形状のほかに、スリットや凹曲状であってもよい。
【００２８】
第１吸収部５３は、排尿口８ａと対向して排泄物を直接吸収する主たる吸収部であって、第２吸収部５４は、第１及び第３吸収部５３，５５に吸収された排泄物が拡散するための従たる吸収部である（第３吸収部５５は、後述するように雌の愛玩動物２に吸収性物品１０を着用させた状態において、雌の排尿口に対向する吸収部である）。吸収体５０は、横方向Ｘにおいて、第１及び第３吸収部５３，５５において最も幅広（横方向Ｘの寸法が最も大きい）であり、第２吸収部５４の第１及び第２括れ部分６１，６２において最も幅狭であって、第２吸収部５４の中央部分５４ａは、第１及び第２括れ部分６１，６２よりも幅広となっている。また、第１吸収部５３は、排泄物を吸収する主たる吸収部として機能するので、比較的に幅広であることが好ましく、一方、第２吸収部５４は、愛玩動物２の両後肢３間に位置することからその動きを阻害しないように、前者よりも幅狭であることが好ましい。したがって、吸収体５０の各寸法は、第１吸収部５３の横方向Ｘの寸法Ｗ１≧第２吸収部５４の最広部分の横方向Ｘの寸法Ｗ３＞第２吸収部５４の最狭部分の寸法Ｗ２（第１括れ部分６１の最狭部分の横方向Ｘの寸法）である。また、第３吸収部５５は、雌の愛玩動物２に吸収性物品１０を着用させた状態において、雌の愛玩動物２の排尿口に対向する部分であって、排泄物を吸収する主たる吸収部として機能するので、比較的に幅広であることが好ましいため、吸収体５０の各寸法は、第３吸収部５５の最狭部分の横方向Ｘの寸法Ｗ５≧第２吸収部５４の最広部分の横方向Ｘの寸法Ｗ３＞第２吸収部５４の最狭部分の寸法Ｗ４（第２括れ部分６２の最狭部分の横方向Ｘの寸法）である。
【００２９】
吸収体５０は、第１及び第２括れ部分６１，６２を有することによって、第１及び第３吸収部５３，５５と、第２吸収部５４との連動が非連続になるので、図７において仮想線６４で示すように、第１及び第３吸収部５３，５５の内端５３ａ，５５ａと中央部分５４ａの両端縁６０ａとをつないで両側縁５０ｃが連続した凹曲状を有する場合に比して、第１及び第３吸収部５３，５５と第２吸収部５４との連動性が抑制される。
【００３０】
通常、この種の愛玩動物用のおむつ（吸収性物品）における吸収体は、吸収両側縁が直状または凹曲状に連続して延びる形状を有するものであって、かかるおむつを愛玩動物に着用させた場合には、歩行時等において後肢の前後方向への可動によって吸収体全体が連動しておむつの位置ずれを生じたり、比較的に幅広の排尿口と対向する対向域が後肢の可動領域に移動して、歩行が妨げられるおそれがある。特に、愛玩動物は、人に比べて、後肢の可動が妨げられるときには、それを嫌がって歩行自体をしなくなる傾向にある。また、吸収両側縁が後肢に沿う凹曲状を有する場合において、愛玩動物の動きによって吸収体が腹側（又は背側）へ引っ張られて全体的に腹側（又は背側）へ移動したときには、吸収両側縁の背側部分（又は腹側部分）によってその移動を妨げるおそれある。一方、吸収体全体の連動性を抑制するために、吸収体の一部を横方向Ｘにおいて完全に分断した場合には、排泄物の拡散性が阻害（例えば、第１吸収部から第２吸収部への排泄物の拡散性が阻害）されて、吸収体全体における吸収性能が著しく低下する。
【００３１】
本実施形態による吸収性物品１０によれば、吸収体５０は、第１括れ部分６１によって第１吸収部５３と第２吸収部５４との連動性が抑制されることによって、腹側域１１において、後肢３の前後方向への動きによって第１吸収部５３が第２吸収部５４側へ引き寄せられるように移動してその動きを阻害するおそれはない。また、第２括れ部分６２によって中央部分５４ａと第３吸収部５５との連動性が抑制されることによって、中間域１３の第２区域１７側の部分において、後肢３の前後方向への動きによって第３吸収部５５が第２吸収部５４側へ引き寄せられるように移動してその動きを阻害するおそれはない。しかも、愛玩動物２の後肢３の動きによって吸収体５０の一部が移動したとしても、吸収体５０の他の部分が連動して移動することを抑制することができるため、吸収体５０の全体、ひいては吸収性物品１０の全体が愛玩動物２に対して位置ズレするのを抑制し、吸収性物品１０がフィットした状態を維持することができる。しかも、吸収体５０は、括れ部分６１，６２においても縦方向Ｙにおいて連続しているため、排泄物の拡散性を保つことができ、吸収性能が著しく低下することを防止することができる。
【００３２】
吸収体５０の縦方向Ｙにおける連動性を抑制するために、第１括れ部分６１において、その幅寸法Ｗ２ができるだけ小さくなることが好ましく、具体的には、その幅寸法Ｗ２が第１吸収部５３の幅寸法Ｗ１の約２０〜５０％の大きさであることが好ましい。同様に、第２括れ部分６２において、その幅寸法Ｗ４ができるだけ小さくなることが好ましく、具体的には、その幅寸法Ｗ４が第３吸収部５５の幅寸法Ｗ５の約２０〜５０％の大きさであることが好ましい。５０％より大きい場合には、吸収体５０の両側縁における動きの伝達を抑制することができず、２０％より小さい場合には、第１及び第３吸収部５３，５５において吸収された排泄物が第２吸収部５４に拡散し難くなるからである。また、第２吸収部５４が副次的な吸収部として十分に機能を果たすためには、その最広部分の幅寸法Ｗ３が第１及び第２括れ部分６１，６２の最狭部分の幅寸法Ｗ２，Ｗ４の約２倍の大きさであることが好ましい。第１及び第２括れ部分６１，６２の括れの度合いや最狭部位の幅寸法Ｗ２，Ｗ４等は、自由に設定することができるが、第１吸収部５３に吸収された尿等の排泄物が拡散しやすいように、第１括れ部分６１の最狭部位の幅寸法Ｗ２が第２括れ部分６２の最狭部位の幅寸法Ｗ４よりも大きいことが好ましい。
【００３３】
このように、吸収体５０は、縦方向Ｙにおいて互いに離間対向する第１及び第２括れ部分６１，６２を有することによって、第１及び第３吸収部５３，５５と、第２吸収部５４との連動性が抑制されているところ、吸収体５０全体の連動性を抑制するために、第１及び第２括れ部分６１，６２のうちの少なくとも一方（好ましくは、第１括れ部分６１のみ）のみを有するものであってもよい。また、上述した実施形態においては、第２吸収部５４に第１及び第２括れ部分６１，６２が配置されるものを説明したが、本実施形態に係る発明を奏する限りにおいて、第１括れ部分６１は、第１吸収部５３に位置していてもよいし、第１吸収部５３と第２吸収部５４との間に位置していてもよいし、それらに跨るように位置していてもよく、同様に、第２括れ部分６２は、第３吸収部５５に位置してもよいし、第２吸収部５４と第３吸収部５５との間に位置してもよし、それらに跨るように位置していてもよい。
【００３４】
本実施形態に係る吸収性物品１０は、雄雌兼用である。図９は、上述した吸収性物品１０を雌の愛玩動物２に着用させた状態を模式的に示した図８と同様の図である。図９に示すように、この吸収性物品１０を雌の愛玩動物２に使用する場合には、第３吸収部５５が雌の愛玩動物２の排尿口８ａと対向し、第２吸収部５４は、排泄物が拡散される副次的な吸収部として機能する。
【００３５】
図１０は、吸収性物品１０の変形例の一例における吸収体５０の一部破断平面図である。本変形例においては、吸収体５０の輪郭形状を形成するコアラップシート５２を両側縁５０ｃが連続して凹曲状に延びるように形成する一方、それに包被された吸収性コア５１が第１及び第２括れ部分６１，６２を有する形状をなしている。かかる場合には、吸収性コア５１の第１及び第２括れ部分６１，６２に相当する部分の両側には、コアラップシート５２のみからなる、吸収性コア５１の存在しない非存在域６３が形成される。非存在域６３においては、吸収性コア５１が存在しないことから、吸収性コア５１の存在域（吸収体５０における非存在域６３を除いた部位）に比して剛性が低くなっている。
【００３６】
かかる場合においては、コアラップシート５２によって吸収体５０の両側縁５０ｃは縦方向Ｙへなだらかに連続して延びているものの非存在域６３によって剛性が変化していることから、第１及び第３吸収部５３，５５と第２吸収部５４との連動性が抑制される。
【００３７】
図１１〜図１３は、本発明に係る吸収性物品１０の他の変形例の一例における模式的な平面図である。図１１を参照すると、本変形例は、雄用の吸収体５０を有する吸収性物品１０であって、吸収体５０が横中心線Ｑよりも腹側域１１側にのみ配置されている。より具体的には、吸収体５０は、中央域１８の背側域１２側には配置されておらず、腹側域１１及び第１区域１６の腹側域１１側に位置する第１吸収部５３、及び横中心線Ｑよりも腹側域１１側に位置する第２吸収部５４のみを有する。
【００３８】
図１２を参照すると、本変形例の吸収性物品１０は、雌用の吸収体５０を有するものであって、吸収体５０は、腹側域１１及び第１区域１６の腹側域１１側には配置されておらず、横中心線Ｑと交差する第２吸収部５４、及び第２吸収部５４の背側域１２側に位置する第１吸収部５３のみを有する。
【００３９】
図１３を参照すると、本変形例の吸収性物品１０は、雄雌兼用の吸収性物品１０であって、その吸収性物品１０の吸収体５０は、直状の第１及び第２端縁５０ａ，５０ｂとそれらの間において縦方向Ｙへ直状に延びる両側縁５０ｃとから画定された略矩形状を有し、横中心線Ｑよりも腹側域１１側における第１区域１６に第１括れ部分６１が配置され、横中心線Ｑを含むように第２括れ部分６２が配置される。
【００４０】
＜第２実施形態＞
図１４は、第２実施形態に係る吸収性物品１０の図７と同様の図であって、以下の点が第１実施形態の吸収性物品１０と異なるが他の基本構成は同じである。
【００４１】
本実施形態においては、第２吸収部５４には、第１吸収部５３側と第３吸収部５５側とにおいて、縦中心線Ｐに関して対称となるように、横方向Ｘにおいて離間対向して位置する一対の第１及び第２スリット（第１及び第２分離部分）６５，６６が配置される。第１及び第２スリット６５，６６によって、吸収体５０の両側縁５０ｃにおける力の伝達が分断されて、全体的な連動性が抑制されるので、第１実施形態と同様に、吸収体が位置ずれして後肢３の動きを阻害するおそれはない。なお、同様の技術的効果を奏する限りにおいて、吸収性コア５１に第１及び第２スリット６５，６６を形成し、該部分においてコアラップシート５２が存在していてもよい。なお、図示省略するが、第１実施形態の吸収性物品１０と同様、雄専用の吸収性物品には、第３吸収部５５及び第２スリット６６を設ける必要はなく、雌専用の吸収性物品には、第１吸収部５３及び第１スリット６５を設ける必要はない。また、吸収性物品１０には、第１実施形態の括れ部分６１，６２と第２実施形態のスリット６５，６６とを適宜、組合せることができる。例えば、吸収性物品には、第１分離部分に第１括れ部分６１を適用し、第２分離部分に第２スリット６６を適用してもよいし、第１分離部分に第１スリット６５を適用し、第２分離部分に第２括れ部分６２を適用してもよい。
【００４２】
吸収性物品１０を構成する部材には、特に明記されていない限りにおいて、本明細書に記載されている材料のほかに、この種の分野において通常用いられている公知の材料を制限なく用いることができる。また、本明細書において使用されている「第１」および「第２」等の用語は、同様の要素、位置等を単に区別するために用いてある。
【００４３】
以上に記載した本発明に関する開示は、少なくとも下記事項に整理することができる。
縦方向及び前記縦方向に直交する横方向を有し、腹側域と、背側域と、前記縦方向において前記腹側域と前記背側域との間に位置する中間域と、吸収性コアを有する吸収体とを含む愛玩動物用の吸収性物品において、前記吸収体は、愛玩動物の尻尾が挿通される切断ラインよりも前記腹側域側にのみ位置しており、前記横方向において互いに対向する両側縁と、前記愛玩動物の排尿口に対向する第１吸収部と、前記排尿口から外れた部位に対向する第２吸収部とを有し、前記吸収性コアは、前記縦方向における前記第１吸収部と前記第２吸収部との連動を分離する分離部分とを有する。
【００４４】
上記段落［００４３］に開示した本発明は、少なくとも下記の実施の形態を含むことができる。該実施の形態は、分離して又は互いに組み合わせて採択することができる。
（１）  前記吸収性物品は、前記横方向の寸法を二等分して前記縦方向へ延びる縦中心線をさらに有し、前記分離部分は、前記両側縁から前記縦中心線へ向けて延びる。
（２）  前記分離部分は、前記吸収性コアの非存在領域である。
（３）  前記吸収性物品は、前記縦方向の寸法を二等分して前記横方向へ延びる横中心線をさらに有し、前記吸収体は、前記縦方向において互いに対向する第１端縁及び第２端縁をさらに有し、前記分離部分は、前記第１又は第２端縁から前記横中心線へ向けて前記横方向の長さ寸法が徐々に小さくなっている箇所に位置する。
（４）  前記吸収体は、前記第１吸収部と前記縦方向において離間対向して位置し、雌雄の前記愛玩動物のうちの一方の排尿口と対向する第３吸収部をさらに有し、前記第２吸収部は、前記第１吸収部と前記第３吸収部との間に位置する。
（５）  前記中間域は、前記腹側域側に位置する第１区域と、前記背側域側に位置する第２区域と、前記第１及び第２区域の間に位置する中央域とを有し、前記中間域の両側縁は、前記第１区域において、前記腹側域の内端から前記横方向の内方へ向けて徐々に幅狭となる幅狭部分を有し、前記分離部分は、前記横方向において一対の前記幅狭部分の間に配置してある。
【符号の説明】
【００４５】
２      愛玩動物
８ａ    排尿口
１０    吸収性物品
１１    腹側域
１２    背側域
１３    中間域
１４ｃ  両側縁
１６    第１区域
１７    第２区域
１８    中央域
１９ａ  第１凹曲部分（幅狭部分）
４８    切断ライン
５０    吸収体
５０ａ  第１端縁
５０ｂ  第２端縁
５０ｃ  吸収両側縁（両側縁）
５１    吸収性コア
５３    第１吸収部
５４    第２吸収部
５５    第３吸収部
６１    第１括れ部分（第１分離部分）
６２    第２括れ部分（第２分離部分）
６３    非存在領域
６５    第１スリット（第１分離部分）
６６    第２スリット（第２分離部分）
Ｐ      縦中心線
Ｑ      横中心線
Ｘ      横方向
Ｙ      縦方向
【要約】
【課題】愛玩動物の後肢が動くときに、吸収性コアが後肢の動きの妨げとなるのを抑えることができる吸収性物品を提供する。
【解決手段】吸収性物品１０は、縦方向Ｙ及び縦方向Ｙに直交する横方向Ｘを有し、腹側域１１と、背側域１２と、縦方向Ｙにおいて腹側域１１と背側域１２との間に位置する中間域１３と、吸収性コア５１を有する吸収体５０とを含む。吸収体５０は、愛玩動物２の尻尾１が挿通される切断ライン４８よりも腹側域１１側にのみ位置しており、横方向Ｘにおいて互いに対向する吸収両側縁５０ｃと、愛玩動物２の排尿口に対向する第１吸収部５３と、排尿口から外れた部位に対向する第２吸収部５４とを有し、吸収性コア５１は、縦方向Ｙにおける第１吸収部５３と第２吸収部５４との連動を分離する第１括れ部分（分離部分）６１とを有している。
【選択図】図８【図１】
0005695793.tif 000002
【図２】
0005695793.tif 000003
【図３】
0005695793.tif 000004
【図４】
0005695793.tif 000005
【図５】
0005695793.tif 000006
【図６】
0005695793.tif 000007
【図７】
0005695793.tif 000008
【図８】
0005695793.tif 000009
【図９】
0005695793.tif 000010
【図１０】
0005695793.tif 000011
【図１１】
0005695793.tif 000012
【図１２】
0005695793.tif 000013
【図１３】
0005695793.tif 000014
【図１４】
0005695793.tif 000015